(57)【要約】【課題】複数色の輝度階調を低下させることなく、プラズマディスプレイに表示される白色の色温度を所望の値に設定する。【解決手段】第１の基板と、第２の基板と、前記第１の基板に積層される誘電体層と、前記誘電体層で覆われて前記第１の基板上に設けられ、前記誘電体層を介して放電しプラズマを形成する第１および第２の電極と、前記第２の基板側に、前記第１および第２の電極とほぼ垂直方向に設けられる隔壁と、前記隔壁によって形成される放電空間の前記第２の基板側に設けられた複数色のそれぞれの色を発光する複数色の蛍光体層とを有し、少なくとも１種類の色の前記蛍光体層を有する放電空間の間隔は、他の色の蛍光体層を有する放電空間と異なり、少なくとも２種類の色の前記蛍光体層を有する放電空間の前記第１および第２の電極は開口部を有し、当該開口部の面積は、前記２種類の色の蛍光体層を有する放電空間では異なる。【選択図】図１２
2007019047.tif 000002
【特許請求の範囲】
【請求項１】
第１の基板と、
第２の基板と、
前記第１の基板に積層される誘電体層と、
前記誘電体層で覆われて前記第１の基板上に設けられ、前記誘電体層を介して放電しプラズマを形成する第１および第２の電極と、
前記第２の基板側に、前記第１および第２の電極とほぼ垂直方向に設けられる隔壁と、
前記隔壁によって形成される放電空間の前記第２の基板側に設けられた複数色のそれぞれの色を発光する複数色の蛍光体層とを有し、
少なくとも１種類の色の前記蛍光体層を有する放電空間の間隔は、他の色の蛍光体層を有する放電空間と異なり、
少なくとも２種類の色の前記蛍光体層を有する放電空間の前記第１および第２の電極は開口部を有し、当該開口部の面積は、前記２種類の色の蛍光体層を有する放電空間では異なることを特徴とするプラズマディスプレイ装置。
【請求項２】
前記少なくとも１種類の色は、青色を含むことを特徴とする請求項１に記載のプラズマディスプレイ装置。
【請求項３】
前記第１および第２の電極の開口部の面積及び前記放電空間の間隔は、前記複数色の蛍光体層それぞれを有する放電空間毎に全て異なることを特徴とする請求項１または請求項２に記載のプラズマディスプレイ装置。
【請求項４】
第１の基板と、
第２の基板と、
前記第１の基板に積層される誘電体層と、
前記誘電体層で覆われて前記第１の基板上に設けられ、前記誘電体層を介して放電しプラズマを形成する第１および第２の電極と、
前記第２の基板側に、前記第１および第２の電極とほぼ垂直方向に設けられる隔壁と、
前記隔壁によって形成される放電空間の前記第２の基板側に設けられた複数色のそれぞれの色を発光する複数色の蛍光体層とを有し、
前記放電空間には、当該放電空間を構成する一対の前記第１および第２の電極が、内側電極と、当該第１および第２の電極の内側電極の外側に当該内側電極と分離されて配置される外側電極とから構成される放電空間と、前記内側電極と前記外側電極に加えて前記内側電極と前記外側電極とを接続する接続電極とから構成される放電空間とが存在することを特徴とするプラズマディスプレイ装置。
【請求項５】
前記接続電極を有する放電空間は、青色の蛍光体層を備えることを特徴とする請求項４に記載のプラズマディスプレイ装置。
【請求項６】
少なくとも１種類の色の蛍光体層を備える前記放電空間を形成する前記隔壁間隔は他の放電空間の間隔と異なることを特徴とする請求項４または請求項５に記載のプラズマディスプレイ装置。
【請求項７】
前記誘電体層中であって、隣り合う前記第１および第２の電極の外側電極とを含む領域に黒い物体から成る黒帯を設けることを特徴とする請求項４ないし請求項６のいずれか１項に記載のプラズマディスプレイ装置。
【請求項８】
前記接続電極を有する放電空間における前記放電は前記外側電極まで及ぶものであり、
前記接続電極を有しない放電空間における前記放電は前記外側電極まで及ばず前記内側電極により起こるものであることを特徴とする請求項４ないし請求項６のいずれか１項に記載のプラズマディスプレイ装置。
【請求項９】
少なくとも１種類の色の蛍光体層の厚さと、他の種類の色の蛍光体層の厚さとが異なっていることを特徴とする請求項１ないし請求項８のいずれか１項に記載のプラズマディスプレイ装置。
【発明の詳細な説明】
【技術分野】
【０００１】
本発明は、プラズマディスプレイ装置に係わり、特に、プラズマディスプレイに表示される白色の色度設定に適用して有効な技術に関する。
【背景技術】
【０００２】
近年、マルチメディア時代の大型薄型カラー表示装置として、高画質、平面、大型、薄型、軽量を満足するＡＣ面放電型プラズマディスプレイパネル（以下、単に、ＰＤＰと称する。）を用いたプラズマディスプレイ装置が量産化されつつある。
一般に、ＡＣ面放電型ＰＤＰの多くは、３電極構造を採用しており、この種のＰＤＰは、２枚の基板（即ち、ガラス基板から成る前面基板および背面基板）が所定間隙を介して対向配置されている。
表示面としての前面基板の内面（背面基板と対向する面）には、互いに対となっている複数の行電極が形成されており、行電極対は誘電体層により覆われている。
背面基板には、蛍光体が塗布された複数の列電極が形成されており、この列電極は、誘電体層に覆われることもある。
ここで、表示面側から見て、一つの行電極対と一つの列電極の交差部が放電セルとなっている。
両基板間には、放電ガス（Ｈｅ，Ｎｅ，Ｘｅ，Ａｒ等の混合ガスを用いるのが一般的）が封入されており、電極間に印加する電圧パルスによって放電を起こして、励起された放電ガスから発生する紫外線を蛍光体によって可視光に変換する。
カラー表示の場合には、通常３種のセルを一組として１画素を構成する。
行電極は、主たる表示発光のための維持放電を行なうので維持放電電極と称す。
【発明の開示】
【発明が解決しようとする課題】
【０００３】
一般的に、プラズマディスプレイ装置では、ＰＤＰに表示される白色の色温度を調整する必要がある。
以下、従来のＰＤＰにおける、白色の色温度調整法を説明する。
ＰＤＰの赤（Ｒ）、緑（Ｇ）、青（Ｂ）の各色の放電セルの輝度は、通常、入力信号に比例しており、最大入力信号Ｓｍのとき、例えば、２５６階調の最大輝度が得られる。
いま、ＰＤＰ内に塗布された赤（Ｒ）、緑（Ｇ）、青（Ｂ）色蛍光体のＸＹＺ色度座標を、それぞれ（Ｘｒ，Ｙｒ）、（Ｘｇ，Ｙｇ）、（Ｘｂ，Ｙｂ）とする。
２５６階調の最大白色発光輝度は、Ｒ，Ｇ，Ｂの入力信号が最大入力信号Ｓｍのとき得られ、この白色の色度座標をＷ１とする。
このとき、色度座標Ｗ１が白色領域からずれていたり、所望の色温度でない場合には、Ｒ，Ｇ，Ｂの入力信号の大きさを調整して適当な白色の色度座標に設定することができる。
例えば、白色の色度座標をＷ１からＢの色度方向にある色度座標Ｗ２に移動させるためには、Ｂの入力信号は最大値のままにして、Ｒ、Ｇの入力信号をそれぞれ、例えば０．５×Ｓｍ、０．８×Ｓｍに小さくすればよい。
しかしながら、この場合には、Ｒ、Ｇの単色表示の輝度階調が、それぞれ２５６×０．５＝１２８、２５６×０．８＝２０５と最大階調２５６より小さくなってしまう。
このように、従来技術におけるＰＤＰに表示される白色の色度設定法では、単色表示の階調が最大輝度階調より小さくなり、階調表示品質が低下するという問題があった。
本発明は、前記従来技術の問題点を解決するためになされたものであり、本発明の目的は、プラズマディスプレイ装置において、複数色の輝度階調を低下させることなく、プラズマディスプレイに表示される白色の色温度を所望の値に設定することが可能となる技術を提供することにある。
本発明の前記ならびにその他の目的と新規な特徴は、本明細書の記述及び添付図面によって明らかにする。
【課題を解決するための手段】
【０００４】
本願において開示される発明のうち、代表的なものの概要を簡単に説明すれば、下記の通りである。
本発明は、複数色表示用放電セルの中の少なくとも１種類の色を表示する放電セルにおける、第１基板側誘電体層と、第１および第２の電極とで構成される電気容量を、他の色を表示する放電セルにおける、第１基板側誘電体層と、第１および第２の電極とで構成される電気容量とが異なる構成とすることにより、表示される白色の色度設定を行うものである。
即ち、本発明は、少なくとも一部に複数色表示用放電セルを含み、マトリクス状に配置される複数の放電セルを有するプラズマディスプレイパネルで、第１の基板と、第２の基板と、前記第１の基板側に設けられる誘電体層と、前記第１の基板上に設けられ、前記誘電体層で覆われる第１および第２の電極で、複数の放電セル内で前記誘電体層を介してプラズマを形成する第１および第２の電極と、前記第２基板側に設けられ、前記複数色のそれぞれの色を発光する複数色の蛍光体層とを有するプラズマディスプレイパネルを具備するプラズマディスプレイ装置であって、前記第１の基板側に、前記複数色表示用放電セルによる混色表示の色度を設定する色度設定手段を設けたことを特徴とする。
【０００５】
また、本発明は、少なくとも一部に複数色表示用放電セルを含み、マトリクス状に配置される複数の放電セルを有するプラズマディスプレイパネルで、第１の基板と、第２の基板と、前記第１の基板側に設けられる誘電体層と、前記第１の基板上に設けられ、前記誘電体層で覆われる第１および第２の電極で、複数の放電セル内で前記誘電体層を介してプラズマを形成する第１および第２の電極と、前記第２基板側に設けられ、前記複数色のそれぞれの色を発光する複数色の蛍光体層とを有するプラズマディスプレイパネルを具備するプラズマディスプレイ装置であって、前記複数色表示用放電セルの中の少なくとも１種類の色を表示する放電セルにおける、前記誘電体層と、前記第１および第２の電極とで構成される電気容量と、他の種類の色を表示する放電セルにおける、前記誘電体層と、前記第１および第２の電極とで構成される電気容量とが異なっていることを特徴とする。
また、本発明は、少なくとも一部に複数色表示用放電セルを含み、マトリクス状に配置される複数の放電セルを有するプラズマディスプレイパネルで、第１の基板と、第２の基板と、前記第１の基板側に設けられる誘電体層と、前記第１の基板上に設けられ、前記誘電体層で覆われる第１および第２の電極で、複数の放電セル内で前記誘電体層を介してプラズマを形成する第１および第２の電極と、前記第２基板側に設けられ、前記複数色のそれぞれの色を発光する複数色の蛍光体層とを有するプラズマディスプレイパネルを具備するプラズマディスプレイ装置であって、前記第１および第２の電極は、放電間隙側に配置された内側電極と、前記内側電極と分離された外側電極と、前記内側電極と外側電極とを接続する接続電極とから構成され、前記複数色表示用放電セルの中の少なくとも１種類の色を表示する放電セルにおける、前記誘電体層と、前記第１および第２の電極とで構成される電気容量と、他の種類の色を表示する放電セルにおける、前記誘電体層と、前記第１および第２の電極とで構成される電気容量とが異なっていることを特徴とする。
【０００６】
また、本発明は、少なくとも一部に複数色表示用放電セルを含み、マトリクス状に配置される複数の放電セルを有するプラズマディスプレイパネルで、第１の基板と、第２の基板と、前記第１の基板側に設けられる誘電体層と、前記第１の基板上に設けられ、前記誘電体層で覆われる第１および第２の電極で、複数の放電セル内で前記誘電体層を介してプラズマを形成する第１および第２の電極と、前記第２基板側に設けられ、前記複数色のそれぞれの色を発光する複数色の蛍光体層とを有するプラズマディスプレイパネルを具備するプラズマディスプレイ装置であって、前記第１および第２の電極は、放電間隙側に配置された内側電極と、前記内側電極と分離された外側電極と、前記内側電極と外側電極とを接続する接続電極とから構成され、前記複数色表示用放電セルの中の少なくとも１種類の色を表示する放電セルは、その放電モードが、前記外側電極まで及ばない第１の放電モードであることを特徴とする。
【０００７】
また、本発明は、少なくとも一部に複数色表示用放電セルを含み、マトリクス状に配置される複数の放電セルを有するプラズマディスプレイパネルで、第１の基板と、第２の基板と、前記第１の基板側に設けられる誘電体層と、前記第１の基板上に設けられ、前記誘電体層で覆われる第１および第２の電極で、複数の放電セル内で前記誘電体層を介してプラズマを形成する第１および第２の電極と、前記第２基板側に設けられ、前記複数色のそれぞれの色を発光する複数色の蛍光体層とを有するプラズマディスプレイパネルを具備するプラズマディスプレイ装置であって、前記第１および第２の電極は、放電間隙側に配置された内側電極と、前記内側電極と分離された外側電極と、前記内側電極と外側電極とを接続する接続電極とから構成され、前記プラズマディスプレイパネルは、放電が外側電極まで及び難くする放電防止手段を有し、前記複数色表示用放電セルの中の少なくとも１種類の色を表示する放電セルにおける、前記誘電体層と、前記第１および第２の電極とで構成される電気容量と、他の種類の色を表示する放電セルにおける、前記誘電体層と、前記第１および第２の電極とで構成される電気容量とが異なっていることを特徴とする。
【０００８】
また、本発明は、前記複数色表示用放電セルの中の少なくとも１種類の色を表示する放電セルにおける電極面積と、他の種類の色を表示する放電セルにおける電極面積とが異なっていることを特徴とする。
また、本発明は、前記複数色表示用放電セルが、青色表示用放電セルを含み、前記青色表示用放電セルは、その電気容量が、他の種類の色を表示する放電セルの電気容量より大きいことを特徴とする。
また、本発明は、前記複数色表示用放電セルが、赤色表示用放電セルを含み、前記赤色表示用放電セルは、その電気容量が、他の種類の色を表示する放電セルの電気容量より小さいことを特徴とする。
また、本発明は、前記複数色表示用放電セルの中の少なくとも１種類の色を表示する放電セルにおける接続電極の電極面積と、他の種類の色を表示する放電セルにおける接続電極の電極面積とが異なっていることを特徴とする。
また、本発明は、前記接続電極が、前記複数色表示用放電セルの中の少なくとも１種類の色を表示する放電セルに設けられていることを特徴とする。
【０００９】
また、本発明は、前記複数色表示用放電セルが、青色表示用の放電セルを含み、前記接続電極は、青色表示用の放電セルに設けられていることを特徴とする。
また、本発明は、前記複数色表示用放電セルが、青色表示用の放電セルを含み、前記青色表示用の放電セルは、その放電モードが前記第１の放電モードであることを特徴とする。
また、本発明は、前記複数色表示用放電セルの中の少なくとも１種類の色を表示する放電セルにおける蛍光体層の塗布面積と、他の種類の色を表示する放電セルにおける蛍光体層の塗布面積とが異なっていることを特徴とする。
また、本発明は、前記複数色表示用放電セルが、青色表示用放電セルを含み、前記青色表示用放電セルは、その蛍光体層の塗布面積が他の種類の色を表示する放電セルの蛍光体層の塗布面積より大きいことを特徴とする。
また、本発明は、前記複数色表示用放電セルの中の少なくとも１種類の色を表示する放電セルにおける蛍光体層の厚さと、他の種類の色を表示する放電セルにおける蛍光体層の厚さとが異なっていることを特徴とする。
【００１０】
また、本発明は、前記第１および第２の電極の内側電極における、放電間隙に対する互いの配置関係が、１ライン毎に交互に入れ替わるように、前記第１および第２の電極が配列されていることを特徴とする。
また、本発明は、前記第２の電極の外側電極と、前記第１の電極の延長方向と直交する方向に隣接する前記第２の電極の外側電極とが、一体化されていることを特徴とする。
また、本発明は、前記第１の基板側で、前記第２の方向に隣接する前記第１または第２の電極の外側電極の間、あるいはこれらの電極を含む領域に、黒または黒に近い色の物体が設けられていることを特徴とする。
【発明の効果】
【００１１】
本願において開示される発明のうち代表的なものによって得られる効果を簡単に説明すれば、下記の通りである。
（１）本発明によれば、複数色のそれぞれの色を発光する各放電セルの輝度階調を低下させることなく、プラズマディスプレイパネルに表示される白色の色度設定を自由に調整することが可能となる。
（２）本発明によれば、発光効率を向上させ、かつ、プラズマディスプレイパネルの歩留まりを向上させることが可能となる。
（３）本発明によれば、複数色のそれぞれの色を発光する各放電セルの放電開始電圧をほぼ一定とできるので、動作マージンを広くし、かつ、高品質の画像を得ることが可能となる。
【発明を実施するための最良の形態】
【００１２】
以下、図面を参照して本発明の実施例を詳細に説明する。
なお、実施例を説明するための全図において、同一機能を有するものは同一符号を付け、その繰り返しの説明は省略する。
［実施例１］
（本実施例の基本構造と動作の説明）
図２は、本発明が適用されるＰＤＰの構造の一部を示す分解斜視図である。
図２に示すＰＤＰは、ガラス基板から成る前面基板２１と背面基板２８とを貼り合わせて一体化したものであり、赤（Ｒ）、緑（Ｇ）、青（Ｂ）の各蛍光体層３２を背面基板２８側に形成した反射型のＰＤＰである。
前面基板２１は、背面基板２８との対抗面上に一定の距離を隔てて平行に形成される一対の維持放電電極を有する。
この一対の維持放電電極は、透明な共通電極（本発明の第２の電極、以下、単に、Ｘ電極と称する。）（２２−１，２２−２）と、透明な独立電極（本発明の第１の電極、以下、単に、Ｙ電極または走査電極と称する。）（２３−１，２３−２）で構成される。
また、Ｘ電極（２２−１，２２−２）には、透明電極の導電性を補うための不透明のＸバス電極（２４−１，２４−２）が、Ｙ電極（２３−１，２３−２）には、透明電極の導電性を補うための不透明のＹバス電極（２５−１，２５−２）がそれぞれ積層併設して設けられる。
【００１３】
これらＸ電極（２２−１，２２−２）、Ｙ電極（２３−１，２３−２）、Ｘバス電極（２４−１，２４−２）、およびＹバス電極（２５−１，２５−２）は、図２の矢印Ｄ２の方向（本発明の第１方向）に延長して設けられる。
通常、Ｘ電極（２２−１，２２−２）、Ｙ電極（２３−１，２３−２）の放電間隙Ｌｄｇは放電開始電圧が高くならないように狭く、隣接間隙Ｌｎｇは隣接放電セルとの誤放電を防止するように広く設計される。
また、Ｘ電極（２２−１，２２−２）、Ｙ電極（２３−１，２３−２）、Ｘバス電極（２４−１，２４−２）およびＹバス電極（２５−１，２５−２）は、ＡＣ駆動のための誘電体層２６により被覆され、この誘電体層２６上には酸化マグネシウム（ＭｇＯ）から成る保護層２７が設けられる。
酸化マグネシウム（ＭｇＯ）は、耐スパッタ性、二次電子放出係数が高いため、誘電体層２６を保護し、放電開始電圧を低下させる働きをする。
一方、背面基板２８は、前面基板２１との対抗面上に、前面基板２１のＸ電極（２２−１，２２−２）およびＹ電極（２３−１，２３−２）と直角に立体交差するアドレス電極（以下、単に、Ａ電極と称する。）２９を有し、このＡ電極２９は、誘電体層３０により被覆される。
【００１４】
このＡ電極２９は、図２の矢印Ｄ１の方向（本発明の第２方向）に延長して設けられる。
この誘電体層３０上には、放電の拡がりを防止（放電の領域を規定）するためにＡ電極２９間を仕切る縦隔壁（リブ）３１が設けられる。
この縦隔壁３１間の溝面を被覆する形で、赤、緑、青に発光する各蛍光体層３２が、順次ストライプ状に塗布される。
前記Ｘ電極（２２−１，２２−２）、Ｙ電極（２３−１，２３−２）、Ｘバス電極（２４−１，２４−２）、およびＹバス電極（２５−１，２５−２）から構成される維持放電電極対と、Ａ電極２９との交差部が１つの放電セルに対応しており、放電セルは二次元状に配列されている。
カラー表示の場合には、赤、緑、青色蛍光体が塗布された３種の放電セルを一組として１画素を構成する。
【００１５】
図３は、図２に示す矢印Ｄ１の方向から見たＰＤＰの断面構造を示す要部断面図であり、画素の最小単位である放電セル１個を示している。
同図に示すように、Ａ電極２９は、２つの縦隔壁３１の中間に位置し、前面基板２１、背面基板２８、および縦隔壁３１に囲まれた放電空間３３には、放電ガス（Ｈｅ，Ｎｅ，Ｘｅ，Ａｒ等の混合ガスを用いるのが一般的）が数百Ｔｏｒｒ以上の圧力で封入されている。
なお、放電空間３３は、縦隔壁３１により空間的に区切られることもあるし、縦隔壁３１と前面基板２１の放電空間側面との間に間隙を設け空間的に連続にすることもある。
【００１６】
図４は、図２に示す矢印Ｄ２の方向からみたＰＤＰの断面構造を示す要部断面図であり、画素の最小単位である放電セル１個を示している。
同図において、放電セルの境界は概略点線で示す位置であり、また、３は電子、４は正イオン、５は正壁電荷、６は負壁電荷を示す。
なお、電子３、正イオン４、正壁電荷５、および負壁電荷６は、ＰＤＰの駆動の中のある時点での電荷の状態を表わしているものであり、その電荷配置に特別な意味は無い。
図４は、例として、Ｙ電極２３−１に負の電圧を、Ａ電極２９とＸ電極２２−１に（相対的に）正の電圧を印加して放電が発生、終了した時点を、模式的に表している。
この結果、Ｙ電極２３−１とＸ電極２２−１の間の放電を開始するための補助となる壁電荷の形成（これを書き込みと称する。）が行われている。
この状態で、Ｙ電極２３−１とＸ電極２２−１との間に適当な逆の電圧を印加すると、誘電体層２６（および保護層２７）を介して両電極の間の放電空間で放電が起こり、放電終了後、Ｙ電極２３−１とＸ電極２２−１の印加電圧を逆にすると、新たに放電が発生する。
これを繰り返すことにより継続的に放電を形成できる（これを維持放電（又は表示放電）と呼ぶ。）。
【００１７】
図５は、ＰＤＰを用いたプラズマディスプレイ装置およびこれに映像源を接続した画像表示システムを示す図である。
プラズマディスプレイ装置１０２内の駆動回路１０１は、映像源１０３からの表示画面信号を受取り、これを以下に説明するような手順でＰＤＰの駆動信号に変換してＰＤＰを駆動する。
図６は、図２に示すＰＤＰに１枚の画を表示するのに要する１ＴＶフィールド期間の動作を示す図である。
図６（Ａ）はタイムチャートを示し、図６（Ａ）の（Ｉ）に示すように１ＴＶフィールド期間４０は、複数の異なる発光回数を持つサブフィールド（４１〜４８）に分割されている。
この各サブフィールド毎の発光と非発光の選択により階調を表現する。
各サブフィールドは、図６（Ａ）の（II)に示すように、放電セル内の電荷を初期化する予備放電期間４９、発光放電セルを規定する書き込み放電期間５０、発光表示期間５１から構成される。
図６（Ｂ）は、図６（Ａ）の書き込み放電期間５０において、Ａ電極２９、Ｘ電極２２、およびＹ電極２３に印加される電圧波形を示す図である。
波形５２は、書き込み放電期間５０内に、１本のＡ電極２９に印加される電圧波形、波形５３はＸ電極２２に印加される電圧波形、５４，５５はｉ番目と（ｉ＋１）番目のＹ電極２３の印加される電圧波形であり、それぞれの電圧をＶ０，Ｖ１，Ｖ２１，Ｖ２２（Ｖ）とする。
【００１８】
図６（Ｂ）に示すように、ｉ行目のＹ電極２３に、スキャンパルス５６が印加された時、電圧Ｖ０のＡ電極２９との交点に位置するセルでは、Ｙ電極２３とＡ電極２９の間に書き込み放電が起こり、グランド電位のＡ電極２９との交点に位置するセルでは書き込み放電は起こらない。
Ｙ電極の（ｉ＋１）行目にスキャンパルス５７が印加された場合も同様である。
このように、書き込み放電期間５０において、Ｙ電極２３にはスキャンパルスが１回印加され、Ａ電極２９にはスキャンパルスに対応して発光放電セルではＶ０、非発光放電セルでは接地（グランド）電位となる。
書き込み放電が起こった放電セルでは、放電で生じた電荷（壁電荷）がＸ電極２２、Ｙ電極２３を覆う誘電体２６および保護膜２７の表面に形成され、Ｘ電極２２、Ｙ電極２３間に壁電圧Ｖｗ（Ｖ）が発生する。
この壁電荷の有無が、次に続く発光表示期間５１での維持放電の有無を決定する。
【００１９】
図６（Ｃ）は、図６（Ａ）の発光表示期間５１の間に維持放電電極であるＸ電極２２とＹ電極２３との間に一斉に印加される電圧パルスを示す。
Ｘ電極２２には電圧波形５８が、Ｙ電極２３には電圧波形５９が印加される。
どちらも同じ極性の電圧Ｖ３（Ｖ）のパルスが交互に印加されることにより、Ｘ電極２２とＹ電極２３との間の相対電圧は反転を繰り返す。
印加電圧Ｖ３は、書き込み放電による壁電圧の有無で維持放電の有無が決まるように設定される。
書き込み放電が起こった放電セルの１番目の電圧パルスにおいて、放電が起り逆極性の壁電荷がある程度蓄積するまで放電は続く。
この放電の結果、蓄積された壁電圧は２番目の反転した電圧パルスを支援する方向に働き、再び放電が起こる。
３番目のパルス以降も同様である。
このように、書き込み放電を起こした放電セルのＸ電極２２とＹ電極２３との間には、印加電圧パルス数分の維持放電が起こり発光し、逆に、書き込み放電を起こさなかった放電セルでは発光しない。
【００２０】
（本実施例の特徴的構造）
図１は、本発明の実施例１のプラズマディスプレイ装置のＰＤＰの構造を示す図であり、図２に示す矢印Ｄ３の方向から見たＲ，Ｇ，Ｂの各色の放電セルの構造を示す図である。
なお、図１の点線で囲まれた部分が１個の放電セルであり、以下で説明する同種の図においても、特に説明せず同様の意味で用いる。
本実施例のＰＤＰは、維持放電電極対を構成するＸ電極２２−１、Ｙ電極（２３−０，２３−１）の面積が、Ｒ，Ｇ，Ｂの各色の放電セル毎で異なっている点で、従来のＰＤＰと相違する。
本実施例では、図１に示すように、Ｒ，Ｇ，Ｂの各色の放電セルにおけるＸ電極２２−１とＸバス電極２４−１との間、およびＹ電極（２３−０，２３−１）とＹバス電極（２５−０，２５−１）との間の中央電極６０の電極幅（Ｗｒ，Ｗｇ，Ｗｂ）を変化させることにより、Ｘ電極２２−１、Ｙ電極（２３−０，２３−１）の面積を変えている。
中央電極６０の電極幅（Ｗｒ，Ｗｇ，Ｗｂ；代表的にＷとも記す）と発光輝度の関係を実験的に求め、所望の各色発光輝度が得られるように、中央電極６０の電極幅（Ｗｒ，Ｗｇ，Ｗｂ）を設定することにより、表示される白色の色度を所望の値に設定することができる。
例えば、表示される白色の色度座標をＷ１からＢの色度方向にある色度座標Ｗ２に移動させるためには、中央電極６０の電極幅Ｗｂを最大とし、中央電極６０の電極幅（Ｗｒ，Ｗｇ）を小さくすればよい。
【００２１】
以下に、４２インチＶＧＡパネルの具体的寸法を示す。
維持放電電極対を構成するＸ電極２２−１、Ｙ電極（２３−０，２３−１）の長手方向の放電セルピッチＷｃｅｌｌは３６０μｍ、これと直交方向のピッチは１０８０μｍである。
隔壁３１の幅Ｗｒｂは４０μｍ、維持放電電極対の放電間隙Ｌｄｇは１００μｍ、維持放電電極長Ｌｅは２７０μｍ、バス電極長Ｌｂは５０μｍ、Ｌｉは５０μｍ、Ｌｍは１５０μｍである。
いま、表示される白色の色度座標をＷ１からＢの色度方向のある色度座標Ｗ２に移動させる場合を考える。
Ｒ，Ｇ，Ｂの色度座標Ｗ１での発効輝度が、それぞれＳｒ，Ｓｇ，Ｓｂであり、発光輝度比をそれぞれのＳｒ×０．６：Ｓｇ×０．８：Ｓｂ×１とすれば色度座標Ｗ２に移動するとする。
このとき、図７に示すように発光輝度は、Ｗｒ，Ｗｇ，Ｗｂ（代表的にＷと記す）にほぼ比例するので、Ｗｒ，Ｗｇ，Ｗｂそれぞれ約１００μｍ，２００μｍ，３２０μｍとすればよい。
【００２２】
図８は、本発明の実施例１のＰＤＰの他の例の構造を示す図であり、図２に示す矢印Ｄ３の方向から見たＲ，Ｇ，Ｂの各色の放電セルの構造を示す図である。
図８に示すＰＤＰは、維持放電電極対を構成するＸ電極２２−１、Ｙ電極（２３−０，２３−１）を突起状電極６１とした点で、図１に示すＰＤＰと相違する。
図８に示すＰＤＰにおいても、Ｒ，Ｇの各放電セルにおけるＸ電極２２−１、およびＹ電極（２３−０，２３−１）の突起状電極６１の電極幅（Ｗｒ，Ｗｇ）を、それぞれ１５０μｍ、２３０μｍとすれば、その面積（電極面積）は、図１に示すＰＤＰと同じとなり、同様な目的を達することができる。
なお、維持放電電極対を構成するＸ電極２２−１、Ｙ電極（２３−０，２３−１）の電極形状はこれ以外のものでもよいことは言うまでもない。
【００２３】
また、本実施例では、３原色の放電セルの維持放電電極対の電極面積をすべて異なる構成としたが、場合によっては１種類の放電セルの維持放電電極対の電極面積のみを他と異なる構成にしてもよい。
また、本実施例ではＲ，Ｇ，Ｂの各色の放電セルの発光輝度を変化させるのに、維持放電電極対の電極面積を変化させたが、一般的には、維持放電電極対の電気容量を変化させればよい。
例えば、維持放電電極対の電極面積を変える代わりに、図２に示す前面誘電体２６の厚さ、誘電率等を、Ｒ，Ｇ，Ｂの各色の放電セル毎に変化させるようにしてもよく、即ち、維持放電電極対の電気容量を変化させるあるパラメータと、放電セルの発光輝度との関係を実験的に求めて、目標とするＲ，Ｇ，Ｂの輝度となるように前記パラメータ値を決定すればよい。
本実施例によれば、表示される白色の所望の色度が、各色入力信号の最大値、即ち、最大の輝度階調（例えば、２５６階調）で達成されるので、単色表示の階調は３原色はすべて最大の輝度階調（例えば、２５６階調）となり、階調表示品質が低下することがない。
【００２４】
［実施例２］
図９は、本発明の実施例２のプラズマディスプレイ装置のＰＤＰの構造を示す図であり、図２に示す矢印Ｄ３の方向から見たＲ，Ｇ，Ｂの各色の放電セルの構造を示す図である。
本実施例のＰＤＰは、維持放電電極対が、内側電極を構成する透明なＸ電極２２−１および透明なＹ電極（２３−０，２３−１）と、外側電極を構成する不透明なＸバス電極（２４−１，２４−２）および不透明なＹバス電極（２５−０，２５−１）とに２分割され、これらが接続電極３４により電気的に接続されている点で、前記実施例１のＰＤＰと相違する。
本実施例では、Ｂ色の放電セルのみに接続電極３４が設けられている。
このため、Ｒ，Ｇ色の各放電セルでは、放電が外側電極（２４−１，２４−２，２５−０，２５−１）まで及ばず、内側電極（２２−１，２３−０，２３−１）のみの放電モード（以下、α放電とよぶ）となる。
このα放電の場合には、外側電極（２４−１，２４−２，２５−０，２５−１）による遮光が無視できるので、紫外線利用効率が高くなり発光効率が向上する。
【００２５】
Ｂ色の放電セルのみは、接続電極３４が存在するので、放電は外側電極（２４−１，２４−２，２５−０，２５−１）まで及ぶ通常の放電モード（以下、β放電と呼ぶ）となる。
そして、Ｂ色の放電セルが、最も維持放電電極対の電極面積が大きく、発光輝度が大きくなるので、表示される白色の色度座標をＷ１からＢの色度方向にある色度座標Ｗ３に移動させることができる。
本実施例において、具体的寸法は、Ｌｅ＝１５０μｍ、Ｌｉｏ＝１５０μｍ、Ｌｎｇ＝２８０μｍである。
いま、表示される白色の色度座標をＷ１からＢの色度方向にある色度座標Ｗ３に移動させる場合を考える。
Ｒ，Ｇ，Ｂの色度座標Ｗ１での発光輝度が、それぞれＳｒ，Ｓｇ，Ｓｂであり、発光輝度比をそれぞれＳｒ×１：Ｓｇ×１：Ｓｂ×２．０とすれば色度座標Ｗ３に移動するとする。
接続電極３４の電極幅Ｗｂが０μｍ（Ｗｂ＝０μｍ）の場合はα放電であり、接続電極３４の電極幅Ｗｂが３６０μｍ（Ｗｂ＝３６０μｍ）のβ放電の場合に比べて輝度は０．４倍であった。
【００２６】
さらに、輝度の接続電極３４の電極幅Ｗｂ依存性は図１０に示すようになるので、上記輝度比にするためには、接続電極３４の電極幅Ｗｂを約１５０μｍ（Ｗｂ＝１５０μｍ）とすればよい。
本実施例によれば、表示される白色の所望の色度が、各色入力信号の最大値、即ち、最大の輝度階調（例えば、２５６階調）で達成されるので、単色表示の階調は３原色はすべて最大の輝度階調（例えば、２５６階調）となり、階調表示品質が低下することがない。
さらに、α放電セルでは、外側電極（２４−１，２４−２，２５−０，２５−１）による遮光が無視できるので、紫外線利用効率が高くなり、発光効率を向上させることができる。
また、接続電極３４を、Ｂ色の放電セル内に設けることにより、色度調整と同時に、前面基板２１と背面基板２８のアライメントのずれに強い構造となり、歩留まりが向上する効果もある。
【００２７】
なお、本実施例では、Ｂ色の放電セルのみに接続電極３４を設けたが、１種類の放電セルに限らず２種類の放電セルに接続電極を設けてもよい。
また、維持放電電極対を構成するＸ電極２２、Ｙ電極２３が、放電間隙に対する互いの配置関係が１ライン毎に交互に入れ替わるよう配列してもよい。
これにより、隣接放電セル間隙Ｌｎｇをより狭くできるので、それにより生じた余裕を、内側電極（２２−１，２３−０，２３−１）の電極長Ｌｅを長くすることに用いて、全体の輝度を向上させることができる。
また、内側電極（２２−１，２３−０，２３−１）と、外側電極（２４−１，２４−２，２５−０，２５−１）との分離長Ｌｉｏを長くしてαモードのマージンを拡大したり、維持放電電極対の電極面積差をより大きくして、色温度をより高くできるなどの効果がある。
さらに、本実施例において、図９に示すように、外側電極（２４−１，２４−２）と隣接する外側電極（２５−０，２５−１）とを含む領域に、黒または黒に近い色の物体から成る黒帯３７を設けるようにしてもよい。
なお、黒帯３７は、前面誘電体層２６中に設ける。
また、外側電極（２４−１，２４−２，２５−０，２５−１）と反応して悪影響を及ぼす場合には、黒帯３７を、外側電極（２４−１，２４−２，２５−０，２５−１）と異なる層に設けるか、あるいは、外側電極（２４−１，２４−２，２５−０，２５−１）と同層で外側電極（２４−１，２４−２，２５−０，２５−１）と距離を置いて配置すればよい。
このような構成とすることにより、Ｒ，Ｇ色の放電セルでは、外側電極（２４−１，２４−２，２５−０，２５−１）で放電発光せず、有効な放電発光を無駄にしないので、コントラスト向上と同時に高効率化を図ることができる。
【００２８】
［実施例３］
図１１は、本発明の実施例３のプラズマディスプレイ装置のＰＤＰの構造を示す図であり、図２に示す矢印Ｄ３の方向から見たＲ，Ｇ，Ｂの各色の放電セルの構造を示す図である。
本実施例のＰＤＰは、維持放電電極対が、内側電極を構成する透明なＸ電極（２２−０，２２−１）および透明なＹ電極２３−１と、外側電極を構成する不透明なＸバス電極２４−１および不透明なＹバス電極（２５−１，２５−２）とに２分割され、これらが接続電極３４により電気的に接続されている。
そのため、本実施例のＰＤＰでは、Ｒ，Ｇ，Ｂ色の放電セルの全てがαモードで動作する。
さらに、本実施例では、放電が接続電極３４を伝わって、外側電極（２４−１，２５−１，２５−２）まで及ばないように、接続電極３４および外側電極（２４−１，２５−１，２５−２）に重なるように横隔壁３５が設けられている。
【００２９】
また、本実施例では、維持放電電極対を構成する内側電極（２２−０，２２−１，２３−１）および外側電極（２４−１，２５−１，２５−２）は、放電間隙に対する互いの配置関係が１ライン毎に交互に入れ替わるよう配列され、さらに、外側電極２４−１は隣接する外側電極同志が共通化されている。
この維持放電電極配列構造により、空間的余裕が生まれ、内側電極（２２−０，２２−１，２３−１）のサイズを、図１に示す前記実施例１のサイズのまま全放電セルをα放電モードとすることができる。
Ｘバス電極２４−１を共通化したため、Ｘバス電極２４−１の電極長Ｌｂ２（＝１００μｍ）を、Ｙバス電極（２５−１，２５−２）の電極長Ｌｂ１（＝５０μｍ）よりも長くした。
このため、Ｘ電極（２２−０，２２−１）側で、放電がＸバス電極２４−１に伝わりやすくなることを防止するため、Ｘ電極（２２−０，２２−１）と、Ｘバス電極２４−１との分離長Ｌｉｏｘ（＝１６５μｍ）を、Ｙ電極２３−１と、Ｙバス電極（２５−１，２５−２）との分離長Ｌｉｏｙ（＝１４０μｍ）より長く設定している。
【００３０】
本実施例によれば、全放電セルで、外側電極（２４−１，２５−１，２５−２）による遮光が無視できるので、前記実施例１に比べて発光効率を向上させることができる。
また、本実施例によれば、実施例１と同様に、表示される白色の所望の色度が、各色入力信号の最大値、即ち、最大の輝度階調（例えば、２５６階調）で達成されるので、単色表示の階調は３原色はすべて最大の輝度階調（例えば、２５６階調）となり、階調表示品質が低下することがない。
さらに、α放電セルでは、外側電極（２４−１，２５−１，２５−２）による遮光が無視できるので、発光効率を向上させることができる。
なお、維持放電電極対の配列は、通常の配列でもよいことは言うまでもなく、また、本実施例では、放電が接続電極３４を伝わって外側電極（２４−１，２５−１，２５−２）に及ぶのを防止するために、横隔壁３５を用いるようにしたが、これに以外の手段でよい。
【００３１】
［実施例４］
図１２は、本発明の実施例４のプラズマディスプレイ装置のＰＤＰの構造を示す図であり、図２に示す矢印Ｄ３の方向から見たＲ，Ｇ，Ｂの各色の放電セルの構造を示す図である。
本実施例のＰＤＰは、前記実施例１のＰＤＰにおいて、Ｒ，Ｇ，Ｂの各色の放電セルの蛍光体層の塗布面積を組合せて、より大幅な色度調整を可能としたものである。
一般に、ＰＤＰにおいて、一放電セルの発光輝度は、蛍光体層の塗布面積にもほぼ比例する。
そのため、本実施例のように、維持放電電極対の電極面積と、一放電セル内の蛍光体層の塗布面積とを、Ｒ，Ｇ，Ｂの各色の放電セル毎に変化させることにより、大幅な色度調整が可能となる。
今、表示される白色の色度座標をＷ１からＢの色度方向にある色度座標Ｗ４に移動させる場合を考える。
Ｒ，Ｇ，Ｂの各色の放電セルにおける、色度座標Ｗ１での発効輝度をそれぞれＳｒ，Ｓｇ，Ｓｂとし、発光輝度比をそれぞれのＳｒ×１：Ｓｇ×１．６：Ｓｂ×２．６とすれば色度座標Ｗ４に移動するとする。
このためには、維持放電電極対の面積を実施例１と同じにして、放電セルピッチをＷｃｅｌｌＲ＝３２０μｍ、ＷｃｅｌｌＧ＝３６０μｍ、ＷｃｅｌｌＢ＝４００μｍとすればよい。
【００３２】
図１３は、本発明の実施例４のＰＤＰの他の例の構造を示す図であり、図２に示す矢印Ｄ３の方向から見たＰＤＰのＲ，Ｇ，Ｂの各色の放電セルの構造を示す図である。
いま、表示される白色の色度座標をＷ１からＢの色度方向にある色度座標Ｗ５に移動させる場合を考える。
色度座標Ｗ１における、Ｒ，Ｇ，Ｂの各色の放電セルの発効輝度をそれぞれＳｒ，Ｓｇ，Ｓｂとし、発光輝度比をそれぞれＳｒ×１：Ｓｇ×１．３５：Ｓｂ×３．０とすれば色度座標Ｗ５に移動するとする。
このためには、維持放電電極対の電極構造として、Ｒ色の放電セル内の内側電極（２２−１，２３−０，２３−１）に、ＷＲ＝１５０μｍ、ＬＲ＝５０μｍの切り欠きを設け、それ以外の構造は前記実施例２と同じとした場合に、放電セルピッチをＷｃｅｌｌＲ＝３２０μｍ、ＷｃｅｌｌＧ＝３６０μｍ、ＷｃｅｌｌＢ＝４００μｍとすればよい。
本実施例によれば、実施例１と同様に、表示される白色の所望の色度が、各色入力信号の最大値、即ち、最大の輝度階調（例えば、２５６階調）で達成されるので、単色表示の階調は３原色はすべて最大の輝度階調（例えば、２５６階調）となり、階調表示品質が低下することがない。
さらに、α放電セルでは、外側電極（２４−１，２４−２，２５−０，２５−１）による遮光が無視できるので、発光効率を向上させることができる。
【００３３】
［実施例５］
本実施例は、維持放電電極対の面積、蛍光体の塗布面積に加えて、蛍光体厚をＲ，Ｇ，Ｂの各色の放電セル毎に変化させることにより、表示される白色の色度を調整するようにしたものである。
一般に、ＰＤＰでは、蛍光体層が厚くなるほど発光輝度が大きくなるので、この関係を利用することにより、白色の色度調整の自由度を大きくすることができる。
さらに、従来技術で述べた書き込み放電時のＡＹ放電開始電圧の調整にも用いることができる。
一般に、ＰＤＰでは、蛍光体膜厚が厚くなるほどＡＹ放電開始電圧が高くなる関係がある。
したがって、Ｒ，Ｇ，Ｂの各色の放電セルの蛍光体膜厚を調整して、Ｒ，Ｇ，Ｂの各色の放電セルのＡＹ放電開始電圧を一定に設定し、それによる白色色度のずれを電極面積および蛍光体面積の変化で調整すればよい。
本実施例によれば、実施例１と同様に、表示される白色の所望の色度が、各色入力信号の最大値、即ち、最大の輝度階調（例えば、２５６階調）で達成されるので、単色表示の階調は３原色はすべて最大の輝度階調（例えば、２５６階調）となり、階調表示品質が低下することがない。
【００３４】
さらに、Ｒ，Ｇ，Ｂの各色の放電セルのＡＹ放電開始電圧をほぼ一定に設定できるので動作マージンが広くなり、高品質画像を得ることができる。
なお、色度調整技術としては、例えば、特開平１０−２６９９４９号公報、特開平１０−３０８１７９号公報、特開平１０−３０８１８０号公報に記載されているように、蛍光体層の幅、厚さを工夫したものが知られている。
また、例えば、特開平１０−２８８９７４号公報に記載されているように、表示色調調整用サブフィールドを設けたものが知られている。
前記実施例４および本実施例５のＰＤＰは、Ｒ，Ｇ，Ｂの各色の放電セルの蛍光体層の塗布面積、あるいはＲ，Ｇ，Ｂの各色の放電セルの蛍光体層の塗布面積と厚さに加えて、Ｒ，Ｇ，Ｂの各色の放電セルの維持放電電極対の電気容量を変化させるようにした点で、前記各公報に記載されているものと相違し、これにより、本実施例のＰＤＰでは、白色の色度調整の自由度を大きくできる、あるいは、Ｒ，Ｇ，Ｂの各色の放電セルのＡＹ放電開始電圧を一定に設定できる等の効果を得ることができる。
【００３５】
また、前記説明では、本発明を、３原色（Ｒ，Ｇ，Ｂ）の放電セルを有するＰＤＰに適用した実施例について説明したが、本発明はこれに限定されるものではなく、本発明は、２色、あるいは４色以上の各色の放電セルを含むＰＤＰに適用可能であることは言うまでもない。
さらに、前記説明では、本発明を、３電極構造のＡＣ面放電型ＰＤＰに適用した実施例について説明したが、本発明はこれに限定されるものではなく、本発明は、維持放電電極対を有する２電極構造のＡＣ面放電型ＰＤＰに適用可能であることは言うまでもない。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００３６】
【図１】本発明の実施例１のプラズマディスプレイ装置のプラズマディスプレイパネルの構造を示す図である。
【図２】本発明が適用されるプラズマディスプレイパネルの構造の一部を示す分解斜視図である。
【図３】図２に示す矢印Ｄ１の方向から見たプラズマディスプレイパネルの断面構造を示す要部断面図である。
【図４】図２に示す矢印Ｄ２の方向からみたプラズマディスプレイパネルの断面構造を示す要部断面図である。
【図５】図５は、プラズマディスプレイパネルを用いたプラズマディスプレイ装置およびこれに映像源を接続した画像表示システムを示すブロック図である。
【図６】図２に示すプラズマディスプレイパネルに１枚の画を表示するのに要する１ＴＶフィールド期間の動作を示す図である。
【図７】本発明の実施例１のプラズマディスプレイパネルの一つのセルの中央電極の電極幅Ｗと輝度の関係を示すグラフである。
【図８】本発明の実施例１のプラズマディスプレイパネルの他の例の構造を示す図である。
【図９】本発明の実施例２のプラズマディスプレイ装置のプラズマディスプレイパネルの構造を示す図である。
【図１０】本発明の実施例２のプラズマディスプレイパネルにおける、接続電極の電極幅Ｗｂと輝度の関係を示すグラフである。
【図１１】本発明の実施例３のプラズマディスプレイ装置のプラズマディスプレイパネルの構造を示す図である。
【図１２】本発明の実施例４のプラズマディスプレイ装置のプラズマディスプレイパネルの構造を示す図である。
【図１３】本発明の実施例４のプラズマディスプレイパネルの他の例の構造を示す図である。
【符号の説明】
【００３７】
３  電子
４  正イオン
５  正壁電荷
６  負壁電荷
２１  前面基板
２２  透明なＸ電極
２３  透明なＹ電極
２４  不透明なＸバス電極
２５  不透明なＹバス電極
２６  前面誘電体
２７  保護膜
２８  背面基板
２９  Ａ電極
３０  背面誘電体
３１  隔壁
３２  蛍光体
３３  放電空間
３４  接続電極
３５  横隔壁
３７  黒帯
４０  ＴＶフィールド
４１〜４８  サブフィールド
４９  予備放電期間
５０  書き込み放電期間  
５１  発光表示期間
６０  中央電極
６１  突起状電極  
１００  プラズマディスプレイパネル（ＰＤＰ）
１０１  駆動回路
１０２  プラズマディスプレイ装置
１０３  映像源
【図１】
2007019047.tif 000003
【図２】
2007019047.tif 000004
【図３】
2007019047.tif 000005
【図４】
2007019047.tif 000006
【図５】
2007019047.tif 000007
【図６】
2007019047.tif 000008
【図７】
2007019047.tif 000009
【図８】
2007019047.tif 000010
【図９】
2007019047.tif 000011
【図１０】
2007019047.tif 000012
【図１１】
2007019047.tif 000013
【図１２】
2007019047.tif 000014
【図１３】
2007019047.tif 000015